(57)【要約】【課題】本発明は、新品検知および仕様検知を良好に行うことができるとともに、現像カートリッジの小型化を図ることができる画像形成装置を提供することを課題とする。【解決手段】現像カートリッジ２８は、回転体８０とともに回転する回転アーム８４，８５を有する。本体ケーシング２は、揺動可能な検知用アーム９３と、検知用アーム９３の揺動を検知する検知手段（光センサ９２）と、検知手段で検知する検知用アーム９３の揺動の有無や揺動の回数に応じて新品検知や仕様検知を行う判断手段を有する。そして、現像カートリッジ２８の装着時において１本の回転アーム８４で検知用アーム９３が一方に揺動され、かつ、１本の回転アーム８４が検知用アーム９３から退避する方向に回転体８０を回転させたときであって、２本目の回転アーム８５がある場合には、２本目の回転アーム８５で検知用アーム９３が他方に揺動される。【選択図】図８
2008216392.tif 000002
【特許請求の範囲】
【請求項１】
画像形成装置本体と、
前記画像形成装置本体に着脱可能な現像カートリッジと、を備え、
前記現像カートリッジは、
一方向に不可逆的に回転可能に設けられる回転体と、
前記回転体とともに回転する１本または２本の回転アームとを有し、
前記画像形成装置本体は、
前記回転体を回転させる駆動手段と、
揺動可能に設けられる検知用アームと、
前記検知用アームを中立位置に向けて付勢する弾性部材と、
前記検知用アームの揺動を検知する検知手段と、
前記検知手段で検知する前記検知用アームの揺動の有無に応じて前記現像カートリッジが新品であるか否かを判別するとともに、前記検知手段で検知する揺動の回数に応じて前記現像カートリッジの仕様を判別する判断手段と、を有し、
前記現像カートリッジを前記画像形成装置本体に装着したときには、１本の回転アームによって前記検知用アームが一方に揺動され、かつ、前記１本の回転アームが前記検知用アームから退避する方向に前記回転体を前記駆動手段で回転させたときであって、２本目の回転アームがある場合には、前記２本目の回転アームによって前記検知用アームが他方に揺動されるように構成したことを特徴とする画像形成装置。
【請求項２】
前記検知手段は、
発光部と受光部とを有する光センサであることを特徴とする請求項１に記載の画像形成装置。
【発明の詳細な説明】
【技術分野】
【０００１】
本発明は、新品検知および仕様検知をともに行うことができる画像形成装置に関する。
【背景技術】
【０００２】
一般に、レーザプリンタなどの画像形成装置では、その装置本体に対してトナーが収容されている現像カートリッジが着脱可能に装着されている。このような画像形成装置としては、従来、装着された現像カートリッジが新品であるか否かを判別（新品検知）するとともに、現像カートリッジの仕様を判別（仕様検知）することができるものが知られている（特許文献１参照）。
【０００３】
具体的に、特許文献１に開示された画像形成装置は、装置本体側に、揺動自在なアーム状のアクチュエータと、アクチュエータを中立位置に付勢するばねと、アクチュエータの揺動を検知するセンサと、センサからの信号に基づいて新品検知および仕様検知を行う制御装置とを備えている。また、画像形成装置は、現像カートリッジ側に、所定の軸部から径方向外側へ延出する１または２つの当接突起と、前記軸部を中心として当接突起と一体に回転する検出ギヤとを備えている。
【０００４】
この画像形成装置では、装置本体に対して現像カートリッジを装着すると、当接突起がアクチュエータの一端を押圧してアクチュエータが揺動し、この揺動がセンサによって検知される。このセンサで検知された信号は、１回目の検知信号として制御装置に送信される。制御装置は、この１回目の検知信号を受信すると、現像カートリッジが新品であると判断する。
【０００５】
また、この画像形成装置では、現像カートリッジを装着した後例えばフロントカバーを閉じると、制御装置によってウォーミング動作（ガラ回し動作）が実行される。ここで、ガラ回し動作とは、現像カートリッジ内のトナーを攪拌すべく、カートリッジ内の攪拌板（アジテータ）を回転させる動作をいう。
【０００６】
そして、このようなガラ回し動作においては、装置本体側に設けられる駆動源からの伝達力が、複数のギヤを介して現像カートリッジ側のアジテータと検出ギヤとに伝達される。これにより、アジテータによるトナーの攪拌が開始されるとともに、当接突起が回転してアクチュエータの一端をさらに押圧し、所定位置においてアクチュエータから外れることとなる。その後は、アクチュエータがばねの付勢力により中立位置へ戻ることとなる。そして、この際、当接突起が２つある場合には、２つ目の当接突起が再度アクチュエータの一端を押圧してアクチュエータが揺動し、この揺動がセンサによって検知される。このセンサで検知された信号は、２回目の検知信号として制御装置に送信される。
【０００７】
制御装置は、この２回目の検知信号を受信すると、現像カートリッジの仕様がＡタイプ（例えば最大画像形成枚数が６０００枚のタイプ）であると判断する。なお、この制御装置は、この２回目の検知信号を受信しない場合は、現像カートリッジの仕様がＡタイプとは異なるＢタイプ（例えば最大画像形成枚数が３０００枚のタイプ）であると判断する。
【０００８】
【特許文献１】特開２００６−２６７９９４号公報
【発明の開示】
【発明が解決しようとする課題】
【０００９】
しかしながら、前記した従来技術では、当接突起がアクチュエータに当接する回数で仕様を検知していたため、２本の当接突起をアクチュエータに当接させようとすると、必然的に検出ギヤの回転量を大きくしなければならなかった。そのため、当接突起の移動範囲が大きくなり、このように大きくなった移動範囲外に他の部品を設けなければならない関係上、現像カートリッジの小型化が図れないといった問題があった。
【００１０】
そこで、本発明は、新品検知および仕様検知を良好に行うことができるとともに、現像カートリッジの小型化を図ることができる画像形成装置を提供することを課題とする。
【課題を解決するための手段】
【００１１】
前記課題を解決するため、本発明に係る画像形成装置は、画像形成装置本体と、前記画像形成装置本体に着脱可能な現像カートリッジと、を備え、前記現像カートリッジは、一方向に不可逆的に回転可能に設けられる回転体と、前記回転体とともに回転する１本または２本の回転アームとを有し、前記画像形成装置本体は、前記回転体を回転させる駆動手段と、揺動可能に設けられる検知用アームと、前記検知用アームを中立位置に向けて付勢する弾性部材と、前記検知用アームの揺動を検知する検知手段と、前記検知手段で検知する前記検知用アームの揺動の有無に応じて前記現像カートリッジが新品であるか否かを判別するとともに、前記検知手段で検知する揺動の回数に応じて前記現像カートリッジの仕様を判別する判断手段と、を有し、前記現像カートリッジを前記画像形成装置本体に装着したときには、1本の回転アームによって前記検知用アームが一方に揺動され、かつ、前記１本の回転アームが前記検知用アームから退避する方向に前記回転体を前記駆動手段で回転させたときであって、２本目の回転アームがある場合には、前記２本目の回転アームによって前記検知用アームが他方に揺動されるように構成したことを特徴とする。
【００１２】
本発明によれば、回転アームが１本である場合には、現像カートリッジを画像形成装置本体に装着すると、まず、その回転アームによって検知用アームが一方に揺動される。次に、駆動手段によって回転体を回転させると回転アームが検知用アームから退避する方向に移動し、検知用アームが弾性部材の付勢力により中立位置に戻る。このような検知用アームの揺動（中立位置から離れた後中立位置に戻るまでの揺動）は、検知手段によって検知され、この検知手段から１つの信号が判断手段に出力される。そして、判断手段は、検知手段からの１つの信号に基づいて、検知用アームが揺動したと判断するとともに、その揺動の回数が１回であると判断して、この揺動回数から現像カートリッジの仕様を判断する。
【００１３】
また、回転アームが２本である場合には、現像カートリッジを画像形成装置本体に装着すると、まず、１本目の回転アームによって検知用アームが一方に揺動される。次に、駆動手段によって回転体を回転させると１本目の回転アームが検知用アームから退避する方向に移動し、検知用アームが弾性部材の付勢力により中立位置に戻った後、２本目の回転アームによって検知用アームが他方に揺動される。そして、このような検知用アームの他方への揺動は、検知手段によって検知され、この検知手段から２つ目の信号が判断手段に出力される。これにより、判断手段は、検知手段からの２つの信号に基づいて、検知用アームが揺動したと判断するとともに、揺動の回数が２回である判断して、この揺動回数から現像カートリッジの仕様を判断する。
【発明の効果】
【００１４】
本発明によれば、検知用アームを回転アームによって押圧する方向を１本目と２本目とで異なる方向とすることで、新品検知および仕様検知を良好に行うことができるとともに、回転体の回転量が少なくて済むので、現像カートリッジの小型化を図ることができる。
【発明を実施するための最良の形態】
【００１５】
次に、本発明の一実施形態について、適宜図面を参照しながら詳細に説明する。参照する図面において、図１は、本発明の一実施形態に係るレーザプリンタを示す側断面図である。なお、以下の説明においては、まず、レーザプリンタの全体構成を簡単に説明した後、本発明の特徴部分の詳細を説明することとする。また、以下の説明においては、レーザプリンタ１の使用時におけるユーザを基準にした方向で説明することとする。すなわち、図１においては、右側を「手前側」と称し、左側を「奥側」と称し、紙面垂直方向のうち奥側を「右側」と称し、紙面垂直方向のうち手前側を「左側」と称する。なお、上下方向については、図示方向とユーザ使用時の方向が一致するので、そのまま「上下方向」と称することとする。
【００１６】
＜レーザプリンタの全体構成＞
図１に示すように、画像形成装置の一例としてのレーザプリンタ１は、画像形成装置本体の一例としての本体ケーシング２内に用紙３を給紙するためのフィーダ部４や、給紙された用紙３に画像を形成するための画像形成部５などを備えている。
【００１７】
＜フィーダ部の構成＞
フィーダ部４は、本体ケーシング２内の底部に着脱可能に装着される給紙トレイ６と、給紙トレイ６内に設けられた用紙押圧板７を備えている。また、フィーダ部４は、給紙トレイ６の一端側端部の上方に設けられる送出ローラ１１と、この送出ローラ１１に対し用紙３の搬送方向の下流側に設けられる給紙ローラ８、給紙パット９、ピンチローラ１０および紙粉取りローラ５０を備えている。さらに、フィーダ部４は、紙粉取りローラ５０に対して下流側に設けられるレジストローラ１２を備えている。
【００１８】
そして、このように構成されるフィーダ部４では、給紙トレイ６内の用紙３が、用紙押圧板７によって送出ローラ１１側に寄せられ、送出ローラ１１によって給紙ローラ８および給紙パット９の間に送り出される。また、用紙３は、給紙ローラ８および給紙パット９によって一枚ずつ送り出されて各種ローラ１０，５０，１２を通った後、画像形成部５に搬送される。
【００１９】
＜画像形成部の構成＞
画像形成部５は、スキャナユニット１６、プロセスカートリッジ１７、定着部１８などを備えている。
【００２０】
＜スキャナユニットの構成＞
スキャナユニット１６は、本体ケーシング２内の上部に設けられ、レーザ発光部（図示せず。）、回転駆動されるポリゴンミラー１９、レンズ２０，２１、反射鏡２２，２３などを備えている。レーザ発光部から発光される画像データに基づくレーザビームは、鎖線で示すように、ポリゴンミラー１９、レンズ２０、反射鏡２２、レンズ２１、反射鏡２３の順に通過あるいは反射して、プロセスカートリッジ１７の感光ドラム２７の表面上に高速走査にて照射される。
【００２１】
＜プロセスカートリッジの構成＞
プロセスカートリッジ１７は、本体ケーシング２の手前側に設けられたフロントカバー２ａを適宜開放することで、本体ケーシング２に対して着脱自在に装着される構造となっている。そして、このプロセスカートリッジ１７は、現像カートリッジ２８とドラムユニット５１とで主に構成されている。
【００２２】
現像カートリッジ２８は、本体ケーシング２にドラムユニット５１を介して着脱自在、詳しくは本体ケーシング２に固定されたドラムユニット５１に対して着脱自在に装着されている。なお、この現像カートリッジ２８の本体ケーシング２への装着は、現像カートリッジ２８単品で行ってもよいし、現像カートリッジ２８にドラムユニット５１を装着したプロセスカートリッジ１７で行ってもよい。
【００２３】
現像カートリッジ２８は、主に、現像ローラ３１、層厚規制ブレード３２、供給ローラ３３およびトナーホッパ３４を備えている。そして、トナーホッパ３４内のトナーは、アジテータ３４ａで攪拌された後、供給ローラ３３により現像ローラ３１に供給され、このとき、供給ローラ３３と現像ローラ３１との間で正に摩擦帯電される。現像ローラ３１上に供給されたトナーは、現像ローラ３１の回転に伴って、層厚規制ブレード３２と現像ローラ３１との間に進入し、一定厚さの薄層として現像ローラ３１上に担持される。なお、現像カートリッジ２８の詳細については、後で詳述することとする。
【００２４】
ドラムユニット５１は、感光ドラム２７、スコロトロン型帯電器２９および転写ローラ３０を主に備えている。
【００２５】
感光ドラム２７は、ドラムユニット５１の筐体に回転可能に支持されている。この感光ドラム２７は、ドラム本体が接地されるとともに、その表面部分が正帯電性の感光層により形成されている。そして、この感光ドラム２７の上方には、ドラムユニット５１の筐体に孔状に形成された露光窓５１ａが配設されている。
【００２６】
スコロトロン型帯電器２９は、感光ドラム２７の斜め上方（詳しくは、感光ドラム２７の奥側で、かつ、上側）に、感光ドラム２７に接触しないように、所定間隔を隔てて対向配置されている。このスコロトロン型帯電器２９は、タングステンなどの帯電用ワイヤからコロナ放電を発生させる正帯電用のスコロトロン型の帯電器であり、感光ドラム２７の表面を一様に正極性に帯電させるように構成されている。
【００２７】
転写ローラ３０は、感光ドラム２７の下方において、この感光ドラム２７に対向して接触するように配置され、ドラムユニット５１の筐体に回転可能に支持されている。この転写ローラ３０は、金属製のローラ軸に、導電性のゴム材料が被覆されて構成されている。この転写ローラ３０には、転写時に、定電流制御によって転写バイアスが印加される。
【００２８】
そして、感光ドラム２７の表面は、スコロトロン型帯電器２９により一様に正帯電された後、スキャナユニット１６からのレーザビームの高速走査により露光される。これにより、露光された部分の電位が下がって、画像データに基づく静電潜像が形成される。ここで、「静電潜像」とは、一様に正帯電されている感光ドラム２７の表面のうち、レーザビームによって露光されて電位が下がっている露光部分をいう。次いで、現像ローラ３１の回転により、現像ローラ３１上に担持されているトナーが、感光ドラム２７に対向して接触するときに、感光ドラム２７の表面上に形成される静電潜像に供給される。そして、トナーは、感光ドラム２７の表面上で選択的に担持されることによって可視像化され、これによって反転現像によりトナー像が形成される。
【００２９】
その後、感光ドラム２７と転写ローラ３０とは、用紙３を両者間で挟持して搬送するように回転駆動され、感光ドラム２７と転写ローラ３０との間を用紙３が搬送されることにより、感光ドラム２７の表面に担持されているトナー像が用紙３上に転写される。
【００３０】
＜定着部の構成＞
定着部１８は、プロセスカートリッジ１７の下流側に配設され、加熱ローラ４１と、加熱ローラ４１と対向して配置され加熱ローラ４１を押圧する押圧ローラ４２とを備えている。そして、このように構成される定着部１８では、用紙３上に転写されたトナーを、用紙３が加熱ローラ４１と押圧ローラ４２との間を通過する間に熱定着させている。なお、定着部１８で熱定着された用紙３は、定着部１８の下流側に配設される排紙ローラ４５に搬送され、この排紙ローラ４５から排紙トレイ４６上に送り出される。
【００３１】
＜現像カートリッジと本体ケーシング内の詳細構造＞
次に、本発明の特徴部分となる現像カートリッジ２８と本体ケーシング２内の詳細構造について説明する。参照する図面において、図２は最大画像形成枚数が３０００枚のタイプである現像カートリッジを示す斜視図であり、図３は図２の現像カートリッジの側面図である。図４は最大画像形成枚数が６０００枚のタイプである現像カートリッジを示す斜視図であり、図５は本体ケーシングから現像カートリッジを取り外した状態を示す断面図である。図６は、新品仕様検知装置の各構成部品を示す斜視図である。
【００３２】
＜現像カートリッジの詳細構造＞
図２に示すように、現像カートリッジ２８は、前記した現像ローラ３１等を備える他、カートリッジ本体６０と、カートリッジ本体６０の左側面に着脱可能に装着されるカバー体７０とを備えて構成されている。そして、カートリッジ本体６０とカバー体７０との間には、現像ローラ３１等に駆動力を伝達するためのギヤ機構６１と、一方向に不可逆的に回転可能な回転体８０とが設けられている。
【００３３】
ギヤ機構６１は、図３に示すように、本体ケーシング２側に設けられる駆動装置９０（図５参照）から駆動力が伝達される入力ギヤ６２と、この入力ギヤ６２に直接噛み合う現像ローラ駆動ギヤ６３および供給ローラ駆動ギヤ６４と、入力ギヤ６２に中間ギヤ６５を介して噛み合うアジテータ駆動ギヤ６６とを備えて構成されている。ここで、現像ローラ駆動ギヤ６３、供給ローラ駆動ギヤ６４およびアジテータ駆動ギヤ６６は、それぞれ図１に示した現像ローラ３１、供給ローラ３３およびアジテータ３４ａを駆動させるギヤであり、現像ローラ３１、供給ローラ３３およびアジテータ３４ａの各軸の端部に一体に設けられている。
【００３４】
図２に示すように、回転体８０は、中心に円状の孔８１ａが形成された円板８１と、円板８１の孔８１ａの周囲から左方へ立設される円筒状の軸部８２と、円板８１の外周面の一部に形成されたギヤ歯部８３とを備えている。そして、円板８１の左側の面の適所（回転体８０の回転軸からずれた位置）には、回転体８０の回転軸に沿って延出し、カバー体７０の表面から突出する回転アーム８４が形成されている。ここで、回転アーム８４は、現像カートリッジ２８の仕様に応じて本数が設定されている。本実施形態においては、最大画像形成枚数が３０００枚のタイプの現像カートリッジ２８には、図２に示すように、１本の回転アーム８４のみを設けることとし、最大画像形成枚数が６０００枚のタイプの現像カートリッジ２８には、図４に示すように、２本の回転アーム８４，８５を設けることとする。すなわち、最大画像形成枚数が６０００枚のタイプの現像カートリッジ２８には、３０００枚のタイプで使用する回転体８０の回転アーム８４に加え、この回転アーム８４から奥側に略９０°だけずらして２本目の回転アーム８５を設けている。なお、以下の説明においては、便宜上、両方のタイプに使用される回転アーム８４を「第１回転アーム８４」と呼び、６０００枚のタイプにのみ使用される回転アーム８５を「第２回転アーム８５」と呼ぶこととする。
【００３５】
また、回転体８０は、その外周面のうちのギヤ歯部８３以外の部分が、ギヤ歯を有さない欠歯部８１ｂとなっており、ギヤ歯部８３が中間ギヤ６５と噛み合うときに、中間ギヤ６５とともに回転し、ギヤ歯部８３が中間ギヤ６５から外れると、止まる構造となっている。言い換えると、ギヤ歯部８３は、中間ギヤ６５と転接するピッチ円の一部の範囲で形成されており、これにより、回転体８０が一方向に不可逆的に回転可能となっている。なお、本実施形態における回転体８０の回転方向は、現像カートリッジ２８の左側面視から見て時計回りとなっている。
【００３６】
カバー体７０は、現像カートリッジ２８の仕様に関わらず、両方のタイプに共通に使用されている。以下の説明では、便宜上、６０００枚のタイプに使用されるカバー体７０を代表して説明することとする。
【００３７】
図４に示すように、カバー体７０には、回転体８０の第１回転アーム８４および第２回転アーム８５が挿通される円弧状の長溝７１と、長溝７１の周縁から左側（外側）に向かって突出する溝周壁７２と、入力ギヤ６２を外方に露出させる開口部７０ａとが主に形成されている。そして、溝周壁７２の最も手前側の部分には、各回転アーム８４，８５を奥、手前、左の三方向から囲う保護壁７３が形成されている。これにより、第１回転アーム８４が長溝７１の手前側の端に位置するときには、保護壁７３によって奥、手前、左の三方向からの各回転アーム８４，８５への外力の作用が防止されている。なお、この保護壁７３は、略９０°ずらして配置される各回転アーム８４，８５を保護すべく、左側面視において、約４分の１の扇状に形成されている。また、溝周壁７２の最も奥側の部分には、第２回転アーム８５を奥、手前、左の三方向から囲う保護壁７４が形成されている。これにより、第２回転アーム８５が長溝７１の奥側の端に位置するときには、保護壁７４によって奥、手前、左の三方向からの第２回転アーム８５への外力の作用が防止されている。
【００３８】
また、前記した保護壁７３，７４以外の溝周壁７２は、第１回転アーム８４の先端よりも低くなるように形成されている。これにより、第１回転アーム８４を初期位置（保護壁７３，７４の間の所定位置）に配置した状態において、現像カートリッジ２８を本体ケーシング２に装着すると、その装着位置において、第１回転アーム８４が本体ケーシング２の一部と前後方向において当接するようになっている。ここで、「本体ケーシング２の一部」とは、本体ケーシング２に取り付けられた装置の構成部品をも含んでおり、本実施形態においては、後述する新品仕様検知装置９１の検知用アーム９３のことを示している（図５参照）。
【００３９】
＜本体ケーシング内の詳細構造＞
図５に示すように、本体ケーシング２内の現像カートリッジ２８が装着される部分には、現像カートリッジ２８の入力ギヤ６２に駆動力を伝達する駆動装置９０と、現像カートリッジ２８が新品であるか否かや現像カートリッジ２８の仕様を検知する新品仕様検知装置９１とが設けられている。
【００４０】
駆動装置９０は、図示せぬ複数のギヤと駆動モータとで構成されている。そして、現像カートリッジ２８が本体ケーシング２内に装着された際に、駆動装置９０側のギヤが入力ギヤ６２と噛み合うことで、駆動モータからの駆動力が各ギヤを介して入力ギヤ６２に伝達される。駆動装置９０において、入力ギヤ６２と噛み合うギヤは、例えば、フロントカバー２ａの開閉に連動して、現像カートリッジ２８に対して進退するように構成される。この場合、入力ギヤ６２と噛み合うギヤは、フロントカバー２ａを閉じたときに、現像カートリッジ２８に向かって進出し、入力ギヤ６２と噛み合い、フロントカバー２ａを開いたときに、現像カートリッジ２８から退避し、入力ギヤ６２との噛み合いが解除される。
【００４１】
新品仕様検知装置９１は、図６に示すように、検知手段の一例としての光センサ９２と、検知用アーム９３と、弾性部材の一例としてのコイルばね９４と、判断手段の一例としての制御装置９５とを主に備えて構成されている。
【００４２】
光センサ９２は、検知用アーム９３の揺動を検知するセンサであり、光を出射する発光部９２ａと、発光部９２ａから出射した光を受光する受光部９２ｂとを備えている。そして、この光センサ９２は、発光部９２ａからの光を受光部９２ｂで受けたときに、所定の信号を制御装置９５に出力する。
【００４３】
検知用アーム９３は、本体ケーシング２に設けられる図示せぬ軸部に回転自在に装着される筒状部９３ａと、筒状部９３ａから径方向外側へ延びる遮光用アーム９３ｂおよび当接用アーム９３ｃとを備えており、筒状部９３ａを中心にして揺動可能に構成されている。また、検知用アーム９３の遮光用アーム９３ｂの適所にはコイルばね９４が取り付けられており、これにより検知用アーム９３がコイルばね９４によって常時中立位置に付勢されている。そして、この中立位置において、遮光用アーム９３ｂの先端部（揺動中心から離れた一部）９３ｄは、発光部９２ａと受光部９２ｂとの間に配置される。また、中立位置において、当接用アーム９３ｃの先端部（揺動中心から離れた他部）９３ｅは、本体ケーシング２に装着される現像カートリッジ２８の第１回転アーム８４と当接可能な位置に配置される。
【００４４】
制御装置９５は、光センサ９２で検知する検知用アーム９３の揺動の有無に応じて、現像カートリッジ２８が新品であるか否かを判別するとともに、光センサ９２で検知する揺動の回数に応じて、現像カートリッジ２８の仕様を判別する機能を備えている。具体的に、この制御装置９５は、フロントカバー２ａの閉動作を検出するセンサからの閉信号またはレーザプリンタ１の電源を入れたときに発せられる信号に基づいて、公知のガラ回し動作を実行する。そして、この制御装置９５は、前記したガラ回し動作の開始から終了までの間に、光センサ９２から信号を１つも受信しないときには、現像カートリッジ２８が旧品であると判断する。また、前記時間内に、光センサ９２から信号を１回だけ受信したときには、現像カートリッジ２８が新品であり、かつ、最大画像形成枚数が３０００枚のタイプであると判断する。さらに、前記時間内に、光センサ９２から信号を２回受信したときには、現像カートリッジ２８が新品であり、かつ、最大画像形成枚数が６０００枚のタイプであると判断する。なお、この新品判断、仕様判断の処理（制御方法）については、公知（例えば、特開２００６−２６７９９４号参照）であるため、その詳細な説明は省略する。
【００４５】
次に、２種類の現像カートリッジ２８を本体ケーシング２に装着する際における回転体８０および検知用アーム９３の動作について説明する。参照する図面において、図７は、最大画像形成枚数が３０００枚のタイプの現像カートリッジを本体ケーシングに装着する際における回転体等の動作を説明する図であり、装着前の状態を示す説明図（ａ）と、装着直後の状態を示す説明図（ｂ）と、ガラ回し動作中の動作を示す説明図（ｃ）と、回転体が不可逆的に回転した状態を示す説明図（ｄ）である。また、図８は、最大画像形成枚数が６０００枚のタイプの現像カートリッジを本体ケーシングに装着する際における回転体等の動作を説明する図であり、装着前の状態を示す説明図（ａ）と、装着直後の状態を示す説明図（ｂ）と、ガラ回し動作中の動作を示す説明図（ｃ）と、回転体が不可逆的に回転した状態を示す説明図（ｄ）である。図７および図８には、いずれも、新品の現像カートリッジが示されている。
【００４６】
＜最大画像形成枚数が３０００枚のタイプの場合＞
まず、最大画像形成枚数が３０００枚のタイプである現像カートリッジ２８を本体ケーシング２に装着する際の動作について説明する。
図７（ａ）に示すように、現像カートリッジ２８を本体ケーシング２に装着する前においては、第１回転アーム８４が長溝７１の略中央に位置しており、この位置において、ギヤ歯部８３は中間ギヤ６５から外れた位置に配置されている。
【００４７】
そして、図７（ｂ）に示すように、現像カートリッジ２８を本体ケーシング２内の所定の取付位置まで挿入していくと、第１回転アーム８４は検知用アーム９３の当接用アーム９３ｃに当接する。このとき、第１回転アーム８４は、常時コイルばね９４で中立位置に付勢されている検知用アーム９３の当接用アーム９３ｃと当接して、その移動が止められることで、取付位置へと移動していく現像カートリッジ２８に対して所定量だけ手前側に相対的に移動する。これにより、回転体８０が時計回りに所定量だけ回転して、回転体８０のギヤ歯部８３が中間ギヤ６５に押し付けられて噛み合うこととなる。
【００４８】
そして、ギヤ歯部８３と中間ギヤ６５とが噛み合うと、中間ギヤ６５により回転体８０の回転が止められて、第１回転アーム８４が再度現像カートリッジ２８とともに移動して、当接用アーム９３ｃをコイルばね９４の付勢力に抗して奥側に押圧する。これにより、検知用アーム９３の遮光用アーム９３ｂが手前側に揺動されて、発光部９２ａからの光が受光部９２ｂで受光され、光センサ９２がＯＮ状態となって所定のＯＮ信号を制御装置９５に出力する。
【００４９】
その後、制御装置９５は、例えばフロントカバー２ａの閉動作を示す信号に基づいて、ガラ回し動作を実行する。なお、このガラ回し動作の開始の際においては、制御装置９５は前記したＯＮ信号を受信し続けている状態となっている。
【００５０】
そして、制御装置９５がガラ回し動作を開始すると、図７（ｃ）に示すように、駆動装置９０の駆動力が入力ギヤ６２および中間ギヤ６５を介してギヤ歯部８３に伝達され、回転体８０が時計回り（第１回転アーム８４が検知用アーム９３から退避する方向）に回転される。そして、このように回転体８０が回転すると、第１回転アーム８４が手前側に移動して、検知用アーム９３がコイルばね９４の付勢力により中立位置に戻る。これにより、検知用アーム９３の遮光用アーム９３ｂが元の位置に戻って、発光部９２ａからの光を遮断して、光センサ９２がＯＦＦ状態となって制御装置９５へのＯＮ信号の送信が中止される。
【００５１】
その後、さらに回転体８０が回転して、図７（ｄ）に示すように、第１回転アーム８４が長溝７１の最も手前側の端に位置すると、ギヤ歯部８３が中間ギヤ６５から外れて、回転体８０の回転が止められる。すなわち、回転体８０が不可逆的に回転することとなる。そして、制御装置９５は、ガラ回し動作を終了すると、ガラ回し動作中に受信した１つの信号（光センサ９２からのＯＮ信号）に基づいて、現像カートリッジ２８が新品であり、かつ、最大画像形成枚数が３０００枚のタイプであると判断する。
【００５２】
＜最大画像形成枚数が６０００枚のタイプの場合＞
次に、最大画像形成枚数が６０００枚のタイプである現像カートリッジ２８を本体ケーシング２に装着する際の動作について説明する。なお、以下の説明においては、前記した３０００枚のタイプと同様の構造および動作（ギヤ歯部８３と中間ギヤ６５との噛合状態等）については、説明を適宜省略することとする。
【００５３】
図８（ａ）に示すように、現像カートリッジ２８を本体ケーシング２に装着する前においては、第１回転アーム８４が長溝７１の略中央に位置するとともに、第２回転アーム８５が長溝７１の奥側の端に位置している。
【００５４】
そして、図８（ｂ）に示すように、現像カートリッジ２８を本体ケーシング２内の所定の取付位置まで挿入していくと、第１回転アーム８４は検知用アーム９３の当接用アーム９３ｃに対して手前側から当接する。そして、さらに現像カートリッジ２８を挿入していくと、ギヤ歯部８３と中間ギヤ６５との噛合によりロックされた回転体８０の第１回転アーム８４によって、検知用アーム９３の当接用アーム９３ｃが奥側に揺動し、この揺動が光センサ９２で検知される。このとき、光センサ９２は、１回目のＯＮ信号を制御装置９５に送信する。
【００５５】
その後、制御装置９５は、前記と同様のガラ回し動作を実行する。このように制御装置９５がガラ回し動作を実行すると、図８（ｃ）に示すように、回転体８０が時計回りに回転して、第２回転アーム８５が長溝７１に沿って手前側に移動する。このように移動する第２回転アーム８５は、検知用アーム９３の当接用アーム９３ｃに対して奥側から当接して、この当接用アーム９３ｃを手前側に揺動させる。これにより、検知用アーム９３の遮光用アーム９３ｂが奥側に揺動され、光センサ９２がＯＮ状態となって２回目のＯＮ信号が制御装置９５に送信される。その後は、図８（ｄ）に示すように、回転体８０が不可逆的に回転し、検知用アーム９３が中立位置に戻る。そして、制御装置９５は、ガラ回し動作を終了すると、ガラ回し動作中に受信した２つの信号（検知用アーム９３の揺動回数）に基づいて、現像カートリッジ２８が新品であり、かつ、最大画像形成枚数が６０００枚のタイプであると判断する。
【００５６】
以上によれば、本実施形態において以下のような効果を得ることができる。
第１回転アーム８４と第２回転アーム８５を適宜設けることで、新品検知および仕様検知を良好に行うことができる。さらに、検知用アーム９３を押圧する方向を第１回転アーム８４と第２回転アーム８５とで異なる方向とすることで、回転体８０の回転量が少なくて済むので、現像カートリッジ２８の小型化を図ることができる。
【００５７】
現像カートリッジ２８を本体ケーシング２に装着したときに、当接用アーム９３ｃによって第１回転アーム８４が現像カートリッジ２８に対して相対的に手前側へ動かされることで、回転体８０のギヤ歯部８３が中間ギヤ６５と噛み合うので、装着前の状態においては第１回転アーム８４に力を加えない限りギヤ歯部８３と中間ギヤ６５とは噛み合わない状態に維持される。したがって、工場出荷前のテスト時において、現像カートリッジ２８の各ギヤ６２〜６６を回転させたとしても、回転体８０が各ギヤ６２〜６６とともに回転することがないので、第１回転アーム８４の位置を本体ケーシング２に取り付けるまで正規の位置に維持させておくことができる。
【００５８】
長溝７１の奥側の端に第２回転アーム８５を奥、手前、左の三方向から囲う保護壁７４が形成されることで、第２回転アーム８５が長溝７１の奥側の端に位置する際に、この第２回転アーム８５に対する奥、手前、左の三方向からの外力の作用が保護壁７４によって防止される。そのため、例えば工場出荷前のテスト時において、作業者等によって第２回転アーム８５が押されることが抑制され、第２回転アーム８５や第１回転アーム８４の位置を正規の位置に確実に維持させておくことができる。また、この保護壁７４は、第１回転アーム８４の奥斜め下側に形成されることから、第１回転アーム８４に対する奥斜め下側からの外力の作用も防止する。そのため、例えば工場出荷前のテスト時において、作業者等によって第１回転アーム８４が奥斜め下側から押されることが抑制され、第１回転アーム８４の位置を正規の位置に確実に維持させておくことができる。
【００５９】
長溝７１の手前側の端に各回転アーム８４，８５を奥、手前、左の三方向から囲う保護壁７３が形成されることで、第１回転アーム８４が長溝７１の手前側の端に位置する際に、各回転アーム８４，８５に対する奥、手前、左の三方向からの外力の作用が保護壁７３によって防止される。そのため、例えば使用途中の現像カートリッジ２８が本体ケーシング２から取り外された場合（例えば、紙詰まり時等）において、仮にユーザが各回転アーム８４，８５を触ろうとしても、保護壁７３によって触り難くなっているので、ユーザの誤操作に起因した新品判断の誤検知を抑制することができる。
【００６０】
なお、本発明は前記実施形態に限定されることなく、以下に例示するように様々な形態で利用できる。
【００６１】
前記実施形態では、検知用アーム９３の略中央部を軸支することで検知用アーム９３を揺動自在としたが、本発明はこれに限定されず、例えば検知用アームの一端を軸支するようにしてもよい。なお、この場合には、例えば、検知用アームの他端を回転アームと当接可能な位置に配置するとともに、検知用アームの一端と他端との間の部分を光センサの発光部と受光部との間に配置すればよい。
【００６２】
前記実施形態では、現像カートリッジ２８を本体ケーシング２に装着したときに第１回転アーム８４を検知用アーム９３と当接させることで、ギヤ歯部８３と中間ギヤ６５とを噛み合せるように構成したが、本発明はこれに限定されるものではない。すなわち、第１回転アーム８４を当接させる相手は、本体ケーシング２の一部（本体ケーシング２側の部品）であればどのようなものであってもよい。ただし、前記実施形態のように当接させる相手を検知用アーム９３とすると部品点数を抑えることができるので、前記実施形態のようにするのが望ましい。
【００６３】
前記実施形態では、検知手段として光センサ９２を採用したが、本発明はこれに限定されず、例えば検知用アームの先端の位置を検出する距離センサ（超音波センサ、光センサ等）などを採用してもよい。また、検知用アームと当接するように板ばねを設け、この板ばねに歪ゲージを設けることでも、検知用アームの揺動を検知することができる。
前記実施形態では、弾性部材としてコイルばね９４を採用したが、本発明はこれに限定されず、トーションばねや板ばねなどであってもよい。
前記実施形態では、レーザプリンタ１に本発明を適用したが、本発明はこれに限定されず、その他の画像形成装置、例えば複写機や複合機などに本発明を適用してもよい。
【図面の簡単な説明】
【００６４】
【図１】本発明の一実施形態に係るレーザプリンタを示す側断面図である。
【図２】最大画像形成枚数が３０００枚のタイプである現像カートリッジを示す斜視図である。
【図３】図２の現像カートリッジの側面図である。
【図４】最大画像形成枚数が６０００枚のタイプである現像カートリッジを示す斜視図である。
【図５】本体ケーシングから現像カートリッジを取り外した状態を示す断面図である。
【図６】新品仕様検知装置の各構成部品を示す斜視図である。
【図７】最大画像形成枚数が３０００枚のタイプの現像カートリッジを本体ケーシングに装着する際における回転体等の動作を説明する図であり、装着前の状態を示す説明図（ａ）と、装着直後の状態を示す説明図（ｂ）と、ガラ回し動作中の動作を示す説明図（ｃ）と、回転体が不可逆的に回転した状態を示す説明図（ｄ）である。
【図８】最大画像形成枚数が６０００枚のタイプの現像カートリッジを本体ケーシングに装着する際における回転体等の動作を説明する図であり、装着前の状態を示す説明図（ａ）と、装着直後の状態を示す説明図（ｂ）と、ガラ回し動作中の動作を示す説明図（ｃ）と、回転体が不可逆的に回転した状態を示す説明図（ｄ）である。
【符号の説明】
【００６５】
１      レーザプリンタ
２      本体ケーシング
２８    現像カートリッジ
６０    カートリッジ本体
６１    ギヤ機構
７０    カバー体
８０    回転体
８１    円板
８１ａ  孔
８１ｂ  欠歯部
８２    軸部
８３    ギヤ歯部
８４    第１回転アーム
８５    第２回転アーム
９０    駆動装置
９１    新品仕様検知装置
９２    光センサ
９２ａ  発光部
９２ｂ  受光部
９３    検知用アーム
９４    コイルばね
９５    制御装置
【図１】
2008216392.tif 000003
【図２】
2008216392.tif 000004
【図３】
2008216392.tif 000005
【図４】
2008216392.tif 000006
【図５】
2008216392.tif 000007
【図６】
2008216392.tif 000008
【図７】
2008216392.tif 000009
【図８】
2008216392.tif 000010